【手続補正書】
【提出日】平成18年7月20日(2006.7.20)
【手続補正１】
【補正対象書類名】明細書
【補正対象項目名】特許請求の範囲
【補正方法】変更
【補正の内容】
【特許請求の範囲】
【請求項１】  体排出物を吸収するための失禁パッド、衛生ナプキン、おむつ、他の吸収衣料、吸収インレイ又はそれらの類似物品の如き吸収製品（１；１０１；２０１；３０１；４０１）であって、前記吸収製品が縦軸及び横軸を有し、前記吸収製品が上部体対面表面（１１；１１１；２１１；３１１；４１１）と下部表面（１２）を含む中央吸収部分（２；１０２；２０２；３０２；４０２）を含み、前記吸収製品が少なくとも液体不透過性下部シート（９；１０９；２４０；２４２；３０９；４０９）をさらに含むものにおいて、前記吸収製品が二つの横方向部分（１７，１８；１１７，１１８；２１７，２１８；３１７，３１８；４１７，４１８）を含み、各々が前記製品の縦方向に延びる内側縁（１３，１４；１１３，１１４；２１３，２１４；３１３，３１４；４１３，４１４）及び外側縁（１５，１６；１１５，１１６；２１５，２１６；３１５，３１６；４１５，４１６）を含み、前記内側縁の各々が前記下部シート（９；１０９；２４２；３０９；４０９）における余剰の材料（ｘ）によって前記中央吸収部分に取付けられていること、及び前記横方向部分の前記内側及び外側縁の各々が前記中央吸収部分（２；１０２；２０２；３０２；４０２）から独立して横方向に（Ａ／Ｂ）移動可能であることを特徴とする吸収製品。
【請求項２】  剛化手段が少なくともその縦方向の範囲の主要な部分に沿って剛化された内側縁を与えるように各横方向部分（１７，１８；１１７，１１８；２１７，２１８；３１７，３１８；４１７，４１８）の内側縁において与えられていることを特徴とする請求項１記載の吸収製品。
【請求項３】  前記横方向部分（１７，１８；１１７，１１８；２１７，２１８；３１７，３１８；４１７，４１８）の各々が一つの側上に流体透過性体対面表面及び反対の側上に流体不透過性層を含むこと、及び吸収材料（８，２６，２７；１０８，１２６，１２７；２０８，２２６，２２７；３０８，３２６，３２７；４０８，４２６，４２７）が前記体対面表面と前記流体不透過性層の間に位置され、それによって三つの明確に分離された吸収部分を吸収製品に与えることを特徴とする請求項１又は２記載の吸収製品。
【請求項４】  前記横方向部分（１７，１８；１１７，１１８；２１７，２１８；３１７，３１８；４１７，４１８）の前記流体不透過性層（９；１０９；２４２；３０９；４０９）が前記吸収製品の前記流体不透過性下部シートによって構成されていることを特徴とする請求項３記載の吸収製品。
【請求項５】  前記余剰の材料（ｘ）が下部シート材料において少なくとも一つの縦方向に配置されたひだの部分（２３，２４）を少なくとも含むことを特徴とする請求項１〜４のいずれか記載の吸収製品。
【請求項６】  前記ひだの取付けられていない折りたたまれた縁（１３，１４；１１３，１１４；２１３，２１４；３１３，３１４；４１３，４１４）が前記横方向部分の各々の内側縁を形成することを特徴とする請求項５記載の吸収製品。
【請求項７】  前記少なくとも一つのひだがその端における開口に対して封止されている（３４，３５；１３４，１３５；２３４，２３５；４３４，４３５）ことを特徴とする請求項６記載の吸収製品。
【請求項８】  摩擦増加手段（１３６，１３７；２３６，２３７；３３６，３３７；４３６，４３７）が前記流体不透過性下部シート上に与えられ、前記摩擦増加手段が前記下部シートと装着者の下着の間の摩擦接触を増大するように配置されていることを特徴とする請求項１〜７のいずれか記載の吸収製品。
【請求項９】  前記摩擦増加手段が圧力感受性接着剤であることを特徴とする請求項８記載の吸収製品。
【請求項１０】  前記摩擦増加手段が前記流体不透過性下部シート上に前記中央吸収部分（２；１０２；２０２；３０２；４０２）の下の前記下部シート上の位置において与えられ、かくして前記中央吸収部分が使用者の下着に対して位置的に固定されることができ、一方前記横方向部分（１７，１８；１１７，１１８；２１７，２１８；３１７，３１８；４１７，４１８）が前記中央吸収部分に対して少なくとも横方向に移動できることを特徴とする請求項８又は９記載の吸収製品。
【請求項１１】  少なくとも一つのひだが前記下部シートに対して配置され、かくして前記ひだの非開放状態において前記摩擦増加手段を少なくとも部分的にカバーすることを特徴とする請求項８〜１０のいずれか記載の吸収製品。
【請求項１２】  前記ひだが前記下部シートに対して配置され、かくして前記ひだの非開放状態において前記摩擦増加手段を完全にカバーすることを特徴とする請求項１１記載の吸収製品。
【請求項１３】  前記横方向部分に含まれる吸収材料が前記中央部分の吸収材料より薄いことを特徴とする請求項３〜１２のいずれか記載の吸収製品。
【請求項１４】  前記横方向部分の吸収材料の厚さが前記中央吸収部分の厚さの５０％未満であることを特徴とする請求項１３記載の吸収製品。
【請求項１５】  前記横方向部分の吸収材料の厚さが前記中央吸収部分の厚さの５％〜２０％の範囲であることを特徴とする請求項１４記載の吸収製品。
【請求項１６】  前記横方向部分の各々に含まれる吸収材料（２６，２７；１２６，１２７；２２６，２２７；３２６，３２７；４２６，４２７）が半砂時計形状であり、前記半砂時計形状の各々のカーブした外側縁（３０，３１；１３０，１３１；２３０，２３１；３３０，３３１；４３０，４３１）が外側に横方向に横たわり、その直線内側縁（２８，２９；１２８，１２９）が内側に横たわり、かくして前記横方向部分（１７，１８；１１７，１１８；２１７，２１８；３１７，３１８；４１７，４１８）の各々の直線縁が互いに対向して横たわることを特徴とする請求項３〜１５のいずれか記載の吸収製品。
【請求項１７】  前記横方向部分の各々が縦方向におけるその伸長を可能にする弾性手段（３２，３３；２３２，２３３）を与えられ、前記弾性手段が各横方向部分の外側縁（１５，１６；１１５，１１６；２１５，２１６；３１５，３１６；４１５，４１６）の縦方向中央部分の近くに位置されていることを特徴とする請求項１〜１６のいずれか記載の吸収製品。
【請求項１８】  前記摩擦増加手段が前記摩擦増加手段と接触して横たわる前記下部シートの表面上の剥離手段（１３８，１３９；４３８，４３９）、好ましくはシリコンによって前記下部シートの他の表面との接触から分離されていることを特徴とする請求項８〜１７のいずれか記載の吸収製品。
【請求項１９】  複数のひだが前記下部シートにおいて配置されていることを特徴とする請求項４〜１８のいずれか記載の吸収製品。
【請求項２０】  前記少なくとも一つのひだが二重ひだであることを特徴とする請求項５〜１９のいずれか記載の吸収製品。
【請求項２１】  前記中央吸収部分が流体透過性、好ましくは不織の材料によって全ての側上で包囲される吸収材料（８；１０８；２０８；３０８；４０８）を含有することを特徴とする請求項１〜２０のいずれか記載の吸収製品。
【請求項２２】  前記横方向部分の各々が流体透過性層と流体不透過性層の間に位置される吸収材料（１２６，１２７；４２６，４２７）を与えられ、それによって横方向の吸収部分を形成する請求項１〜２１のいずれか記載の吸収製品において、前記製品が一つだけの流体不透過性下部シート層（１０９，４０９）及び一つだけの流体透過性上部シート層（１１０，４１０）を含むこと、及び前記吸収部分の各々が前記上部シート層と前記下部シート層の間に位置されることを特徴とする吸収製品。
【請求項２３】  前記横方向部分の各々を前記中央部分に連結するために与えられる余剰の材料が横方向における長さ（ｘ）を有し、かくして前記余剰の材料が広げられるとき、横方向吸収部分の縦方向内側縁が前記中央吸収部分の外側縦方向縁の内側に横方向に横たわることを特徴とする請求項２２記載の吸収製品。
【請求項２４】  前記横方向部分を前記中央部分に連結するために与えられる余剰の材料が前記製品の横方向における長さを有し、かくして前記余剰の材料が広げられるとき、横方向吸収部分の縦方向内側縁が前記中央吸収部分の外側縦方向縁に隣接して横方向に、少なくとも前記中央部分の長さの一部に沿って横たわることを特徴とする請求項２２記載の吸収製品。
【請求項２５】  前記中央吸収部分が第１流体透過性上部シート（２０７）及び第１流体不透過性下部シート（２４０）を含む包囲物の間に含まれていること、及び前記横方向部分が第２流体透過性上部シート（２４１）と第２流体不透過性下部シート（２４２）の間に与えられ、前記第１下部シート（２４０）が前記第２上部シート（２４１）に連結されていることを特徴とする請求項１〜２３のいずれか記載の吸収製品。
【請求項２６】  前記中央吸収部分が前記中央吸収部分の外側縦方向縁の内側に横方向にある取付位置において前記余剰の材料に取付けられ、それによって中央吸収部分の縦方向縁及び前記外側縦方向縁の各々から前記取付位置まで内側に横方向に延びる中央吸収部分の下部表面の一部が流体の直接吸収のための表面を与えることができることを特徴とする請求項１〜２４のいずれか記載の吸収製品。
【請求項２７】  前記製品の平らにされた状態において、前記二つの横方向の部分が前記中央部分の下部表面の下に少なくとも部分的に横たわることを特徴とする請求項１〜２６のいずれか記載の吸収製品。